(57)【要約】【課題】内蔵フラッシュをポップアップさせたときに発光部を高く、かつ前方に位置させることができ、収納時におけるカメラの前後方向の厚さが小さい内蔵フラッシュ機構を提供する。【解決手段】カメラ本体の幅方向に延び前記カメラ本体の後方側に固定された第１軸２６と、前記カメラ本体の幅方向に延び前記カメラ本体の前方側に配置されて前記第１軸に対して上下方向に可動する第２軸２８と、前記カメラ本体の幅方向に延び発光部を保持する第３軸３０と、前記第１軸と前記第２軸をリンクさせる第１リンク部材３２と、前記第２軸と前記第３軸をリンクさせる第２リンク部材３４と、前記第２軸を上方向に付勢する第１ばね部材３６と、前記第２リンク部材を前記第２軸回りに開放側に付勢する第２ばね部材３８と、前記発光部を前記第３軸回りに開放側に付勢する第３ばね部材４０と、前記発光部を収納位置に係止する係止部４２、４４とを備える。【選択図】図３
2014126769.tif 000002
【特許請求の範囲】
【請求項１】
被写体に対して照明光を照射する発光部と、
カメラ本体の幅方向に延び前記カメラ本体の後方側に固定された第１軸と、
前記カメラ本体の幅方向に延び前記カメラ本体の前方側に配置されて前記第１軸に対して上下方向に可動する第２軸と、
前記カメラ本体の幅方向に延び前記発光部を保持する第３軸と、
前記第１軸と前記第２軸をリンクさせる第１リンク部材と、
前記第２軸と前記第３軸をリンクさせる第２リンク部材と、
前記第２軸を上方向に付勢する第１ばね部材と、
前記第２リンク部材を前記第２軸回りに開放側に付勢する２ばね部材と、
前記発光部を前記第３軸回りに開放側に付勢する３ばね部材と、
前記発光部を収納位置に係止する係止部と
を備えることを特徴とする内蔵フラッシュ機構。
【請求項２】
前記第１リンク部材は、板状部材であることを特徴とする請求項１記載の内蔵フラッシュ機構。
【請求項３】
前記第１リンク部材は、裏面側で前記発光部がポップアップしているか否かを検出する検出スイッチを押圧することを特徴とする請求項１または２記載の内蔵フラッシュ機構。
【請求項４】
前記係止部により前記発光部が前記収納位置に係止された状態を解除する係止解除ばねを備えることを特徴とする請求項１〜３の何れか一項に記載の内蔵フラッシュ機構。
【請求項５】
請求項１〜４のうちの何れか一項に記載の内蔵フラッシュ機構を備えたことを特徴とするカメラ。
【発明の詳細な説明】
【技術分野】
【０００１】
本発明は、カメラに内蔵されている内蔵フラッシュ機構、および内蔵フラッシュ機構を備えたカメラに関するものである。
【背景技術】
【０００２】
従来、カメラに内蔵されているフラッシュの発光部を２軸のリンク機構によりポップアップさせる内蔵フラッシュのポップアップ機構が知られている（例えば、特許文献１参照）。
【先行技術文献】
【特許文献】
【０００３】
【特許文献１】特開２０１１−７０１６７号公報
【発明の概要】
【発明が解決しようとする課題】
【０００４】
しかし、上述の内蔵フラッシュのポップアップ機構においては、１軸目がカメラ本体の内部に固定されているため、発光部を発光部収納ケース内に収納する際には１軸目を避けて発光部が収納されるように発光部収納ケース内にスペースを確保する必要があることから、カメラ本体の前後方向（換言すれば撮影レンズの光軸方向）における厚さが大きくなる。またポップアップ時に発光部収納ケースの内部スペースが露出することから、見栄えも悪い。もしこの内部スペースに各種電気部品（たとえば、発光部が収納されたか否かを検出する検出スイッチなど）が設けられている場合には、使用者がその電気部品に触れてしまう恐れがある。
【０００５】
本発明の目的は、内蔵フラッシュをポップアップさせたときに発光部を高く、かつ前記前後方向において比較的前方に位置させることができ、収納時におけるカメラの前後方向の長さ（厚み）を短く構成した内蔵フラッシュ機構、およびこの内蔵フラッシュ機構を備えたカメラを提供することである。
【課題を解決するための手段】
【０００６】
本発明は以下のような解決手段により上記課題を解決する。
【０００７】
本発明の内蔵フラッシュ機構は、カメラ本体の幅方向に延び前記カメラ本体の後方側に固定された第１軸と、前記カメラ本体の幅方向に延び前記カメラ本体の前方側に配置されて前記第１軸に対して上下方向に可動する第２軸と、前記カメラ本体の幅方向に延び発光部を保持する第３軸と、前記第１軸と前記第２軸をリンクさせる第１リンク部材と、前記第２軸と前記第３軸をリンクさせる第２リンク部材と、前記第２軸を上方向に付勢する第１ばね部材と、前記第２リンク部材を前記第２軸回りに開放側に付勢する第２ばね部材と、前記発光部を前記第３軸回りに開放側に付勢する第３ばね部材と、前記発光部を収納位置に係止する係止部とを備えることを特徴とする。
【０００８】
本発明のカメラは、本発明の内蔵フラッシュ機構を備えたことを特徴とする。
【発明の効果】
【０００９】
本発明によれば、内蔵フラッシュをポップアップさせたときに発光部を高く、かつ前方に位置させることができ、そして収納時におけるカメラ本体の前後方向における長さ（厚み）を短く（薄く）構成した内蔵フラッシュ機構、およびこの内蔵フラッシュ機構を備えたカメラを提供することができる。
【図面の簡単な説明】
【００１０】
【図１】実施の形態に係るデジタルカメラの前面を示す斜視図である。
【図２】実施の形態に係る内蔵フラッシュのポップアップ状態における前方斜視図である。
【図３】実施の形態に係る内蔵フラッシュのポップアップ状態における後方斜視図である。
【図４】実施の形態に係る内蔵フラッシュのポップアップ状態におけるポップアップ機構を示す側面図である。
【図５】実施の形態に係る内蔵フラッシュのポップアップ状態におけるポップアップ機構を示す前方斜視図である。
【図６】実施の形態に係る内蔵フラッシュのポップアップ状態におけるポップアップ機構の係止解除板金及び係止解除ばねを前方から視た図である。
【図７】実施の形態に係る内蔵フラッシュの収納状態におけるポップアップ機構の左側面図である。
【図８】実施の形態に係る内蔵フラッシュの収納状態におけるポップアップ機構を前方から視た図である。
【図９】実施の形態に係る内蔵フラッシュの収納状態におけるポップアップ機構の右側面図である。
【図１０】実施の形態に係る内蔵フラッシュの収納状態におけるポップアップ機構を背面側から視た図である。
【図１１】実施の形態に係る内蔵フラッシュのカメラ前後方向の厚さと従来技術の内蔵フラッシュのカメラ前後方向の厚さを示す図である。
【図１２】実施の形態に係る内蔵フラッシュのカメラ前後方向の厚さと従来技術の内蔵フラッシュのカメラ前後方向の厚さを示す図である。
【発明を実施するための形態】
【００１１】
以下、図面を参照して、本発明の実施の形態に係るデジタルカメラの内蔵フラッシュ機構について説明する。図１は実施の形態に係るデジタルカメラ２（カメラ本体）の前面を示す斜視図である。本実施の形態におけるデジタルカメラはレンズ交換式のデジタルカメラであり、デジタルカメラ２の前面には、交換レンズ（不図示）を着脱可能なレンズマウント４が設けられている。またデジタルカメラ（カメラ本体）２の上面１００には、内蔵フラッシュ６を収納する収納部１１０、電源スイッチ８、シャッターボタン１０、及び動画撮影ボタン１２等が設けられている。
【００１２】
図２は実施の形態に係る内蔵フラッシュのポップアップ状態における前方斜視図であり、図３は実施の形態に係る内蔵フラッシュのポップアップ状態における後方斜視図である。内蔵フラッシュ６は、発光部２０と、発光部２０をポップアップさせるポップアップ機構２２を有しており、内蔵フラッシュ６の収納状態においては、カメラ本体内に配置されているフラッシュユニット収納ケース２４内に収納される。なお、フラッシュユニット収容ケース２４は、上述の収納部１１０の一部を構成する部品である。
【００１３】
ポップアップ機構２２は、カメラ本体の幅方向に延びカメラ本体の内部に配置されるフラッシュユニット収納ケース２４の後方側、即ちカメラ本体の背面側に固定されている第１軸２６、カメラ本体の幅方向に延びフラッシュユニット収納ケース２４の前方側（カメラ本体の前面側）に固定されており、第１軸２６に対して上下方向に可動する第２軸２８、及びカメラ本体の幅方向に延び発光部２０を保持する第３軸３０（図４参照）を備えており、また第１軸２６と第２軸２８をリンクさせる第１リンク部材３２、第２軸２８と第３軸３０をリンクさせる第２リンク部材３４を備えた３軸のリンク機構により構成されている。
【００１４】
ここで第１リンク部材３２は、第１軸２６側の縁部が第１軸２６に固定され、第２軸２８側の縁部が第２軸２８に固定された板状部材により構成されている。また第２リンク部材３４は、第２軸２８側の縁部が第２軸２８に固定され、第３軸３０側の縁部が第３軸３０に固定された板状部材により構成されている。
【００１５】
内蔵フラッシュ６を前方側から視た場合の左側面の第１軸２６の前方側には、第２軸２８を上方向に付勢する第２軸アップばね３６が設けられている。第２軸アップばね３６は、コイルバネにより構成され一方の端部３６ａ（図４参照）が第２軸２８の下面に当接され、第２軸２８を上方向に付勢している。第２軸２８には、第２リンク部材３４を第２軸２８回りに開放側に付勢する、コイルばねにより構成された第２リンク部材アップばね３８が挿通されている。第３軸３０には、発光部２０を第３軸３０回りに開放側に付勢する、コイルばねにより構成された発光部アップばね４０（図６参照）が挿通されている。
【００１６】
フラッシュユニット収納ケース２４内の下部には、発光部２０を収納位置であるフラッシュユニット収納ケース２４内に係止する際に、発光部２０の下部に形成されている係止部４２に係止されるロック爪４４が形成されている。またフラッシュユニット収納ケース２４の下部のロック爪４４の近傍には、係止部４２に係止されているロック爪４４の係止状態を解除する係止解除ばね４６が設けられている。
【００１７】
図５及び図６に示すように係止解除ばね４６は、コイルバネにより構成され第１軸２６の下部に設けられた係止解除ばね支持軸４８に挿通されている。係止解除ばね４６は、一端部にＵ字形状を有する立ち上がり部４６ａを有しており、他端部４６ｂは係止解除板金５０に当接されている。
【００１８】
係止解除板金５０は、係止解除ばね支持軸４８の下部に係止解除ばね支持軸４８に沿って配置されているプレート状の部材であり、両端部に設けられた立ち上がり部５０ａの開口部に係止解除ばね支持軸４８が挿通されている。また係止解除板金５０の側面側の端部には、ソレノイド５２のソレノイド軸５２ａに係止されている下延部５０ｂが形成されており、上述の係止解除ばね４６の他端部４６ｂが下延部５０ｂに当接されている。また中央部側の立ち上がり部５０ａの外側面にはロック爪４４が接しており、ロック爪４４に形成された開口部に係止解除ばね支持軸４８が挿通されている。
【００１９】
内蔵フラッシュ６の発光部２０を押下して、内蔵フラッシュ６を収納位置であるフラッシュユニット収納ケース２４内に収納する場合には、第２軸２８及び第１リンク部材３２の第２軸２８側が下方に移動し、フラッシュユニット収納ケース２４内に空間が形成されるため、この空間内に発光部２０が収納される。このとき発光部２０の下部に形成されている係止部４２にロック爪４４が係止され、内蔵フラッシュ６の収納状態が維持される。この場合には、図７〜１０に示すように、係止解除ばね４６の立ち上がり部４６ａは、第２軸２８に沿った位置に設けられた押し下げ部２８ａ（図３参照）により押し下げられて係止部４２にロック爪４４が係止された状態を解除するための力量がチャージされた状態になる。また第２軸アップばね３６、第２リンク部材アップばね３８及び発光部アップばね４０もそれぞれ内蔵フラッシュ６をポップアップさせるための力量がチャージされた状態になる。
【００２０】
この状態においては、フラッシュユニット収納ケース２４内の底部に設けられている、内蔵フラッシュ６が収納位置にあるか、ポップアップ位置にあるかを検出する検出スイッチ(図示せず)を第１リンク部材３２の裏面側で押下するため、内蔵フラッシュ６が収納位置にあることを検出することができる。
【００２１】
また、内蔵フラッシュ６が収納位置にある場合には、第２軸２８の端部が第２軸アップばね３６により上方向に付勢されているが、第２軸２８の中央部付近も係止解除ばね４６の立ち上がり部４６ａにより上方向に付勢されているため、発光部２０が収納されているときの発光部の傾斜を防止し、カメラ本体の上面１００に対して内蔵フラッシュ６の上面６ａが平行な姿勢を確保でき（換言すれば内蔵フラッシュ６がカメラ本体に対して平行な姿勢を確保でき）外観の見栄えを悪化させることがない。
【００２２】
内蔵フラッシュ６の発光部２０をポップアップさせる場合には、ソレノイド５２に通電を行なうことにより、ソレノイド軸５２ａが磁力により引付けられた状態が解除される。これにより係止解除ばね４６の他端部４６ｂが係止解除板金５０の下延部５０ａをポップアップ機構２２の後方側に押し、係止解除板金５０が図５及び図６に示す矢印Ｘで示す方向に回動する。これに伴いロック爪４４は矢印Ｙで示す方向に回動し、係止部４２から外れ係止状態が解除される。そしてチャージされた状態にあった第２軸アップばね３６、第２リンク部材アップばね３８及び発光部アップばね４０により、内蔵フラッシュ６がポップアップされる。
【００２３】
この場合に、第１リンク部材３２は、第１軸２６側の縁部が第１軸２６に固定され、第２軸２８側の縁部が第２軸２８に固定された板状部材であるため、フラッシュユニット収納ケース２４内のスペースが第１リンク部材３２により隠されることにより、誤ってフラッシュユニット収納ケース２４の底部に設けられている検出スイッチに触れてしまうのを防止することができる。
【００２４】
本実施の形態に係る内蔵フラッシュによれば、内蔵フラッシュをポップアップさせたときに発光部を高く、かつ前方に位置させることができ、収納時におけるカメラの前後方向の厚さが小さい内蔵フラッシュ機構を提供することができる。即ち、図１１は従来技術の内蔵フラッシュがポップアップしている状態（ａ）と、実施の形態に係る内蔵フラッシュが６ポップアップしている状態（ｂ）とを模式的に示したものであり、図１２は従来技術の内蔵フラッシュが収納されている状態（ａ）と、実施の形態に係る内蔵フラッシュ６が収納されている状態（ｂ）とを模式的に示したものであるが、これらの図に示すように、従来技術の内蔵フラッシュのポップアップ時におけるカメラ本体の上面１２０に対する発光部１０２の位置と、実施の形態に係る内蔵フラッシュ６のポップアップ時におけるカメラ本体の上面１００に対する発光部２０の位置を同じにした場合に、従来技術の内蔵フラッシュのカメラの前後方向の長さ（厚み）ａに比較して実施の形態に係る内蔵フラッシュ６のカメラの前後方向の厚みｂを短く（薄く）することができる。
【符号の説明】
【００２５】
２…デジタルカメラ（カメラ本体）、６…内蔵フラッシュ、６ａ…内蔵フラッシュ上面、２０…発光部、２２…ポップアップ機構、２４…フラッシュユニット収納ケース、２６…第１軸、２８…第２軸、３０…第３軸、３２…第１リンク部材、３４…第２リンク部材、３６…第２軸アップばね、３８…第２リンク部材アップばね、４０…発光部アップばね、４２…係止部、４４…ロック爪、４６…係止解除ばね、５０…係止解除板金、１００…カメラ本体上面、１１０…収納部
【図１】
2014126769.tif 000003
【図２】
2014126769.tif 000004
【図３】
2014126769.tif 000005
【図４】
2014126769.tif 000006
【図５】
2014126769.tif 000007
【図６】
2014126769.tif 000008
【図７】
2014126769.tif 000009
【図８】
2014126769.tif 000010
【図９】
2014126769.tif 000011
【図１０】
2014126769.tif 000012
【図１１】
2014126769.tif 000013
【図１２】
2014126769.tif 000014